(57)【要約】【課題】タグの入った商品吊り下げ用ホルダーを再使用できるため、防犯システムにおける投資額を低く抑えることができる。また、幅の狭い商品ケースでも、幅の広い商品ケースでも使用できると共に、商品ケースの取付孔の位置が多少上下していても、吊下板を上下動させることができる。さらに、強力磁石を使用しないとスライド体を移動させることができず、セキュリティ効果の高い商品吊り下げ用ホルダーを提供する。【解決手段】商品ケースの上部に設けた取付孔に差し込む差込ピンを突設してなるホルダー本体に、商品ケースを陳列する陳列棚のフックに取り付けるフック挿入孔を設けた吊下板を着脱自在に取り付ける取付部を設けると共に、吊下板を上下動させ所要の位置で固定する固定部を設け、かつ、差込ピンに着脱自在に取り付ける中心にピン差込孔を設けたスライド体のピン差込孔に差込ピンを差し込み、差込ピンの外周を掴んで固定する保持具を設け、さらにホルダー本体内には特定の電波等に共振する共振回路等によるタグを設けてなる。【選択図】　図１
2004041642.tif 000002
【特許請求の範囲】
【請求項１】
商品ケースの上部に設けた取付孔に差し込む差込ピンを突設してなるホルダー本体に、商品ケースを陳列する陳列棚のフックに取り付けるフック挿入孔を設けた吊下板を着脱自在に取り付ける取付部を設けると共に、吊下板を上下動させ所要の位置で固定する固定部を設け、かつ、差込ピンに着脱自在に取り付ける中心にピン差込孔を設けたスライド体のピン差込孔に差込ピンを差し込み、差込ピンの外周を掴んで固定する保持具を設け、さらにホルダー本体内には特定の電波等に共振する共振回路等によるタグを設けてなることを特徴とする商品吊り下げ用ホルダー。
【請求項２】
磁石にてスライド体を移動させ、差込ピンより保持具を取り外してなることを特徴とする請求項１記載の商品吊り下げ用ホルダー。
【請求項３】
差込ピンを取付部の前方に設けてなることを特徴とする請求項１又は２記載の商品吊り下げ用ホルダー。
【請求項４】
差込ピンを着脱自在に設けてなることを特徴とする請求項１、２又は３記載の商品吊り下げ用ホルダー。
【請求項５】
取付部を２つ設け、互いの軸心が直角になるよう縦取付部及び横取付部を設けてなることを特徴とする請求項１、２、３又は４記載の商品吊り下げ用ホルダー。
【請求項６】
差込ピン取付位置におけるホルダー本体の表面に、商品ケースの上部に設けた取付孔とほぼ同形の係止部を形設してなることを特徴とする請求項１、２、３、４又は５記載の商品吊り下げ用ホルダー。
【発明の詳細な説明】
【０００１】
【発明の属する技術分野】
本発明は、商品を陳列する陳列棚のフックに取り付け、各種商品ケース（ブリスター商品ケース等）に対応すると共に、再利用できる商品吊り下げ用ホルダーに関するものである。
【０００２】
【従来の技術】
従来の技術として、図８に示すように商品を陳列する陳列棚のフックに吊り下げるタグ貼り付け袋Ｆ１は、上部にフック支持孔Ｆａ１を穿設した吊下部Ｆａを設けると共に、下部に商品Ｓ１を入れた袋本体Ｆｂ外側にタグＴ１（特定の電波等に共振する共振回路等）をお客様に解らない位置（通常パッケージ角）に貼り付けてあるのが主流である。
【０００３】
上記のようなタイプは、商品をレジで購入する際に、タグへ電波を照射し、そのタグ機能を破壊し購入者に渡している。
購入者は、商品を持って出口付近に据え付けられたゲート（特定の電波を出力し、タグがレジで処理されていない場合、アラーム音や音声にて不正購入等を知らせるもの）を通過し店外に出る。
【０００４】
上記のように従来例では、タグを使い捨てにしているため、コストアップとなっている。
また、店側がメーカーとの商品交換時、タグを袋本体に取り付けているため、返品ができない。
さらに、タグは袋本体外側に貼り付けられているため、回路を切断され不正持出しをされてしまう。この事が特にお店側にとっては大きな問題点となっている。
【０００５】
【発明が解決しようとする課題】
本発明は、上記の問題店に鑑みなされたもので、その目的はタグの入った商品吊り下げ用ホルダーを再使用できるため、防犯システムにおける投資額を低く抑えることができる。
また、幅の狭い商品ケースでも、幅の広い商品ケースでも使用できると共に、商品ケースの取付孔の位置が多少上下していても、吊下板を上下動させることができる。
さらに、強力磁石を使用しないとスライド体を移動させることができず、セキュリティ効果の高い商品吊り下げ用ホルダーを提供することである。
【０００６】
【課題を解決するための手段】
課題を解決するため手段として、商品ケースの上部に設けた取付孔に差し込む差込ピンを突設してなるホルダー本体に、商品ケースを陳列する陳列棚のフックに取り付けるフック挿入孔を設けた吊下板を着脱自在に取り付ける取付部を設けると共に、吊下板を上下動させ所要の位置で固定する固定部を設け、かつ、差込ピンに着脱自在に取り付ける中心にピン差込孔を設けたスライド体のピン差込孔に差込ピンを差し込み、差込ピンの外周を掴んで固定する保持具を設け、さらにホルダー本体内には特定の電波等に共振する共振回路等によるタグを設けてなること。また、磁石にてスライド体を移動させ、差込ピンより保持具を取り外してなること。差込ピンを取付部の前方に設けてなること。さらに、差込ピンを着脱自在に設けてなること。取付部を２つ設け、互いの軸心が直角になるよう縦取付部及び横取付部を設けてなること。その上、差込ピン取付位置におけるホルダー本体の表面に、商品ケースの上部設けた取付孔とほぼ同形の係止部を形設してなることを特徴とする。
【０００７】
【発明の実施の形態】
１は、商品吊り下げ用ホルダーである。
２は、商品ケースの上部に設けた取付孔に差し込む差込ピン２ａを突設してなるホルダー本体で、上部中央縦方向に後述する吊下板を着脱自在に取り付ける溝による縦取付部２ｂを形設してなると共に、後述する固定部を取り付けるための雌ネジ部２ｂ１を設けてある。
３は、商品ケースを陳列する陳列棚のフックに取り付けるフック挿入孔３ａを上部に設け、下方に複数（この実施例の場合４ヶ所）の位置孔３ｂを設けてなる吊下板である。
４は、上記吊下板３を上下動させ所要の位置（位置孔３ｂ）にて固定するネジによる固定部である。
５は、上記差込ピン２ａに着脱自在に取り付ける保持具で、中空状の保持具本体５ａの一端中央に挿入孔５ａ１を設けると共に、中空部５ｂの先端方向にテーパー内面５ｂ１を形成してなり、この中空部５ｂ内の中心軸上にピン差込孔６ａを設け、ベアリング６ｂ−−（３個が適当）を保持する保持片６ｃ・６ｃを前後に形成し、圧縮スプリング６ｄにて保持されるスライド体６を内設してなるものである。
７は、上記ホルダー本体２内に設けてなる特定の電波等に共振する共振回路等によるタグである。
【０００８】
上記商品吊り下げ用ホルダー１の使用例について以下に説明する。
まず、商品棚Ｓに取り付ける場合を説明する。
商品吊り下げ用ホルダー１の吊下板３のフック挿入孔３ａを突設したフックＦに挿入し、吊り下げる。
つぎに、差込ピン２ａに商品ケースＫの上部に設けた取付孔Ｋ１を差し込んだ後、保持具５を挿入孔５ａ１より差込ピン２ａに差し込み、固定保持する。
つまり、圧縮スプリング６ｄの圧力により、ベアリング６ｂ−−がテーパー内面５ｂ１に押え付けられると同時に、ベアリング６ｂ−−が差込ピン２ａを挟持し、引っ張っても抜けない構造となっている。
つぎに、お客様が商品を購入する場合、商品吊り下げ用ホルダー１が取り付けられている状態で、商品ケースＫをフックＦより取り外す。
この状態でレジに持って行き、レジにて強力磁石Ｇを保持具５の背面に近づけ当接することにより、磁力にてスライド本体６が強力磁石Ｇに引っ張られることにより、圧縮スプリング６ｄが圧縮されると同時にベアリング６ｂがテーパー内面５ｂ１より離れ、差込ピン２ａの押圧を解除し、保持具５を差込ピン２ａより取り外すことができる。
つぎに、差込ピン２ａより商品ケースＫを取り外し、お客様に販売することができるものである。
なお、取り外した商品吊り下げ用ホルダー１は何度でも使用できるものである。
【０００９】
つぎに、第２実施例の商品吊り下げ用ホルダーについて説明する。
商品吊り下げ用ホルダー２１は、上記と同様な差込ピン２２ａ、吊下板２３、固定部２４、保持具２５、タグ２７及び縦取付部２２ｂを設けると共に、ホルダー本体２２の縦取付部２２ｂの軸心Ｔの直角Ｃ方向軸心Ｔａに溝による横取付部２２ｃを形設してなり、中央部に雌ネジ部２２ｃ１を設けると共に、差込ピン２２ａを差し込むための横差込孔２２ｃ２を設けてある。
なお、上記縦取付部２２ｂにも同様に縦差込孔２２ｂ２を設けてあり、ホルダー本体２２を横方向にして使用（商品ケースの幅が広い場合）する場合には、差込ピン２２ａを縦差込孔２２ｂ２より引き抜き、横差込孔２２ｃ２に差し入れ、つづいて吊下板２３を固定部２４と共に取り外し、横取付部２２ｃに吊下板２３を固定部２４にて雌ネジ部２２ｃ１に螺入し固定するものである。
【００１０】
つぎに、第３実施例の商品吊り下げ用ホルダーについて説明する。
商品吊り下げ用ホルダー３１は、ホルダー本体３２の縦差込孔３２ｂ２及び横差込孔３２ｃ２の表面に、商品ケースの上部に設けた取付孔とほぼ同形の円盤状の係止部８・８ａを形設してなるものであり、取付孔を変形させることなく支持できるものである。
【００１１】
上記各実施例において、吊下板の位置孔の数は必要に応じて決めればよく、保持具を外すための磁石も一般に市販されていない強力なものであれば、特に材質は指定しない。
また、タグも一般に市販されているものでよく、共振させる電波を発する機器（ゲート）も必要に応じて選定すればよい。
さらに、差込ピンの表面に凹部を設けることにより、より一層引き抜き強度をアップさせることができる。
【００１２】
【発明の効果】
１）、商品吊り下げ用ホルダーの各部位を再使用できるため、防犯システムにおける投資額を低く抑えることができる。
２）、幅の広い商品ケースも、幅の狭い（縦長）商品ケースにも対応できる。
３）、差込ピンと吊下板を着脱自在に形成しているため、１つの商品吊り下げ用ホルダーで両方の商品ケースに対応できる。
４）、保持具は磁石（強力な磁力）でしか取り外すことができず、セキュリティ効果が高い。
５）、係止部により商品ケースの取付孔を痛めることなく、確実に商品ケースを支持できる。
【図面の簡単な説明】
【図１】本発明の第１実施例を示す商品吊り下げ用ホルダーの正面図。
【図２】本発明の第１実施例を示す商品吊り下げ用ホルダーの要部縦断側面図。
【図３】本発明の第１実施例を示す商品吊り下げ用ホルダーの使用状態を示す一部縦断側面図。
【図４】本発明の第２実施例を示す商品吊り下げ用ホルダーの正面図。
【図５】本発明の第２実施例を示す商品吊り下げ用ホルダーの要部縦断側面図。
【図６】本発明の第３実施例を示す商品吊り下げ用ホルダーの側面図。
【図７】本発明の第３実施例を示す商品吊り下げ用ホルダーの背面図。
【図８】従来例を示す正面図。
【符号の説明】
１−−−商品吊り下げ用ホルダー
２−−−ホルダー本体
２ａ−−差込ピン
２ｂ−−縦取付部
３−−−吊下板
３ａ−−フック挿入孔
３ｂ−−位置孔
４−−−固定部
５−−−保持具
６−−−スライド体
７−−−タグ
【図１】
2004041642.tif 000003
【図２】
2004041642.tif 000004
【図３】
2004041642.tif 000005
【図４】
2004041642.tif 000006
【図５】
2004041642.tif 000007
【図６】
2004041642.tif 000008
【図７】
2004041642.tif 000009
【図８】
2004041642.tif 000010